(57)【要約】【課題】  光ディスクの回転と面振れの安定化が容易で、面振れが小さくてクラッシュする危険性が無く、フォーカスサーボの追従不良によるフォーカスエラーも低減して、多容量の光情報の記録、又は、再生する光情報記録再生品質が著しく向上して保持も容易に確実に出来る光ディスク、及び、その光ディスクの製造方法、並びに、その光ディスクを具備する光情報記録再生装置を提供する。【解決手段】  光情報を記憶する微細パターンからなる記録層１と、記録層１の光情報を記録、又は、再生する光情報記録再生面２と、光情報記録再生面２からなる記録再生面部材３と、記録再生面部材３と対向する対向面部材４と、記録再生面部材３と対向面部材４が対向して形成する中空部５とからなる。【選択図】  図２
2006065991.tif 000002
【特許請求の範囲】
【請求項１】
記録層を備えた記録再生面部材と、中空部を介して上記記録再生面部材と対向配置された対向面部材と、を備え、
上記記録再生面部材と上記対向面部材の少なくとも一方は可撓性を有することを特徴とする光ディスク。
【請求項２】
請求項１に記載の光ディスクにおいて、上記記録再生面部材と上記対向面部材が対向して形成する中空部は、密閉構造であることを特徴とする光ディスク。
【請求項３】
請求項１又は２に記載の光ディスクにおいて、上記中空部は、上記記録再生面部材と上記対向面部材と封止手段によって封止されることを特徴とする光ディスク。
【請求項４】
請求項３に記載の光ディスクにおいて、上記封止手段は、上記記録再生面部材と上記対向面部材の中心部を封止する中心スペーサーからなることを特徴とする光ディスク。
【請求項５】
請求項４に記載の光ディスクにおいて、上記中心スペーサーは、光ディスクを保持する際の被保持部となることを特徴とする光ディスク。
【請求項６】
請求項４又は５に記載の光ディスクにおいて、上記中心スペーサーの内径は、上記記録層に形成されたプリグルーブに対して偏心を除去した状態で封止されていることを特徴とする光ディスク。
【請求項７】
請求項３、４、５又は６に記載の光ディスクにおいて、上記封止手段は、上記記録再生面部材と上記対向面部材の外周部を封止する外周スペーサーからなることを特徴とする光ディスク。
【請求項８】
請求項７に記載の光ディスクにおいて、上記外周スペーサーは、光ディスクを保持する際の被保持部となることを特徴とする光ディスク。
【請求項９】
請求項１、２、３、４、５、６、７又は８に記載の光ディスクにおいて、上記記録再生面部材と上記対向面部材を対向して上記中空部を形成して封止した厚みが、剛体の光ディスクの厚みと同等であることを特徴とする光ディスク。
【請求項１０】
請求項９に記載の光ディスクにおいて、上記記録再生面部材と上記対向面部材を対向して上記中空部を形成して封止した厚みが１.２ｍｍであることを特徴とする光ディスク。
【請求項１１】
請求項１、２、３、４、５、６、７、８、９又は１０に記載の光ディスクにおいて、上記記録再生面部材と上記対向面部材の中心部の内径側面は、密着補強されていることを特徴とする光ディスク。
【請求項１２】
請求項１乃至１１の何れか一項に記載の光ディスクにおいて、上記記録再生面部材と上記対向面部材の外周部の外周側面は、密着補強されていることを特徴とする光ディスク。
【請求項１３】
請求項１乃至１２の何れか一項に記載の光ディスクにおいて、上記記録再生面部材、又は、上記対向面部材の片面、又は、両面に微細パターンからなる記録層が形成されていることを特徴とする光ディスク。
【請求項１４】
請求項１乃至１３の何れか一項に記載の光ディスクにおいて、上記記録再生面部材、又は、上記対向面部材の片側、又は、両側に微細パターンからなる記録層が形成されていることを特徴とする光ディスク。
【請求項１５】
請求項１乃至１４の何れか一項に記載の光ディスクにおいて、上記記録再生面部材と上記対向面部材の厚みの和が、１．２ｍｍ以下であることを特徴とする光ディスク。
【請求項１６】
記録層を備えた記録再生面部材と、上記記録再生面部材と対向する対向面部材を予め形成する前工程と、上記前工程で形成された上記記録再生面部材と上記対向面部材が対向して中空部を形成するように、上記記録再生面部材と対向する上記対向面部材を封止する封止工程と、からなることを特徴とする光ディスクの製造方法。
【請求項１７】
上記請求項１６に記載の光ディスクの製造方法において、上記封止工程は、上記記録再生面部材と上記対向面部材の中心部と外周部を、封手止段としての中心スペーサーと外周スペーサーを介して密着補強すると共に中空部を形成して、接着剤で上記記録再生面部材と上記対向面部材を封止することを特徴とする光ディスクの製造方法。
【請求項１８】
請求項１乃至１５の何れか一項に記載の光ディスクと、上記光ディスクを保持して回転駆動する回転駆動手段と、上記回転駆動手段で回転駆動される上記光ディスクの記録再生面部材、又は、上記対向面部材側に近接させて面振れを空気力学的に安定化させるガイド部材と、上記ガイド部材の対向側に配置されて上記光ディスクの情報を情報記録再生面から記録、又は、再生する光ピックアップと、を備えたことを特徴とする情報記録再生装置。
【請求項１９】
請求項１８に記載の情報記録再生装置において、上記光ディスクは、光ディスク保持手段によって保持されることを特徴とする情報記録再生装置。
【請求項２０】
請求項１９に記載の情報記録再生装置において、上記光ディスク保持手段は、上記光ディスクの中心部を保持する中心部保持手段を備えることを特徴とする情報記録再生装置。
【請求項２１】
請求項１９又は２０に記載の情報記録再生装置において、上記光ディスク保持手段は、上記光ディスクの外周部を保持する外周部保持手段を備えることを特徴とする情報記録再生装置。
【発明の詳細な説明】
【技術分野】
【０００１】
本発明は、光ディスク、及び、その光ディスクの製造方法、並びに、その光ディスクを具備する情報記録再生装置に関し、詳しくは、情報を記録、又は、再生する光ディスク、及び、その情報を記録、又は、再生する光ディスクの製造方法、並びに、その情報を記録、又は、再生する光ディスクを具備して情報を記録、又は、再生する情報記録再生装置に関する。
【背景技術】
【０００２】
従来から、ＣＤやＤＶＤのような剛体材料から成る光ディスクは、通常、厚み（Ｔｈ）が（Ｔｈ）＝１．２ｍｍ、又は、（Ｔｈ）＝０．６ｍｍのポリカーボネート基板に転写層を成膜して、この転写層に情報を記録し、これを再生するものである。この種の光ディスクは、リムーバブルであり、且つ、記録容量が大容量であることから、記録再生用の記録媒体として広く普及している。
これらの光ディスクにあっては、情報を記録、再生するために記録面上に光を集光するために、記録、再生時の光ピックアップに対する記録面の位置精度が必要であるので、基板を平坦にし、且つ、剛性を持たせ、更に、光ピックアップにサーボをかけて位置精度を確保するようにしていた。
ＣＤやＤＶＤのような剛体の光ディスクでは、射出成形、成膜等のプロセスをシビアに管理しても、数百μｍから数ミリ程度の面振れがあった。
高開口数（ＮＡ）ピックアップで記録、又は、再生する場合、光ピックアップを０．２ｍｍ程度にまで近接させてサーボをかけるので、通常のＣＤやＤＶＤのような剛体の光ディスクの面振れが大きいと、クラッシュする危険性が生じていた。
ＣＤやＤＶＤのような剛体の光ディスクの記録容量を高めるために、対物レンズの開口数（ＮＡ）を上げたり、レーザー光を短波長化して、光スポットを更に小径化すること等が検討されている。
他方、対物レンズの開口数（ＮＡ）を上げるためには、基板の面振れを小さくしなければならないので、製造基板の平面精度を高め、光ピックアップに面振れサーボを搭載し、又は、転写層上に０．１ｍｍ程度の薄いカバー層を設けて、このカバー側から記録再生することで面振れマージンを拡大すること等が行われている。
剛体の光ディスクのディスク基板の面振れを小さくすることは、材料や製法の工夫により達成可能であるが、製造コストが高くなっていた。
光ピックアップに面振れサーボを搭載するものも同様に、光ピックアップのコストが高くなっていた。
又、基板を通さずに転写層側から再生するものも、転写層面と対物レンズの距離が０．１ｍｍ程度しか確保することが出来ないので、光ディスクを回転させ、対物レンズとの衝突を防ぐために面振れを小さくし、光ディスクのチャッキング装置のチャッキング精度を向上させる必要があった。
然し、これらも、光ディスク、並びに、情報記録再生装置のコストアップにつながっていた。
【０００３】
そこで、フレキシブル光ディスクの可撓性を利用して、ガイドなるものをフレキシブル光ディスクに近接させることで、空気力学的にフレキシブル光ディスクの面振れを安定化することを同一出願人から、別途、提案されている。
剛体の光ディスクの機械的な平面精度を高くするのではなく、図１１に図示するような、剛体の光ディスクを、フレキシブル基板２００ａに記録層２０１とその保護層２０１ａを形成して可撓性の可撓性光ディスクにした、フレキシブル光ディスク２００が公知である。
図１１に図示のような、情報記録再生装置２５０における回転駆動手段２５１のスピンドル２５１ａに嵌合して回転駆動されるフレキシブル光ディスク２００の情報記録再生面２０２と反対側にガイド部材２５２を設け、即ち、光ピックアップ２５３の対物レンズ２５３ａと反対側にガイド部材２５２を設けて、フレキシブル光ディスク２００を対物レンズ２５３ａとガイド部材２５２で挟んだ状態にして、スピンドル２５１ａに嵌合して回転駆動されるフレキシブル光ディスク２００の回転によって、空気力学的にガイド部材２５２でフレキシブル光ディスク２００を非接触でベルヌーイ浮上させ、これによって、対物レンズ２５３ａに対して記録層２０１の記録面の位置を安定化させ、その面振れを限りなく０に近づけるようにすることも公知である。
上記のフレキシブル光ディスク２００のフレキシブル基板２００ａを作製するための従来工法として、ＰＥＴフィルムなどのフレキシブルシート表面に熱可塑性樹脂、又は、熱硬化性樹脂を塗布してスタンパの微細凹凸パターンを転写し、これを熱硬化させ、その後、転写層を成膜する熱プレス法や、同じくフレキシブルシート表面に紫外線硬化型樹脂を塗布してスタンパの微細パターンを転写し、紫外線硬化させてから転写層を成膜する２Ｐ（Photo Polymerization）法（特許文献１を参照）や、可撓性有機物シートを軟化点以上に加熱し、スタンパを圧着させて転写して後、冷却してシートとスタンパを剥離する方法（特許文献２を参照）等がある。
然し、フレキシブル基板２００ａが反りやうねりを有している場合があり、フレキシブル光ディスク２００の面振れが不安定となり回転を充分に安定化することが難しく、フォーカスサーボの追従不良によるフォーカスエラーも増加して、情報の記録、又は、再生する情報記録再生品質が著しく低下するだけでなく、保持することも困難であった。
従って、従来の光ディスク、及び、その光ディスクの製造方法、並びに、その光ディスクを具備する情報記録再生装置は、光ディスクの面振れが大きくてクラッシュする危険性があり、フレキシブル光ディスクでもフレキシブル基板に反りやうねりを有している場合があり、面振れと回転が不安定となり充分に安定化することが難しく、フォーカスサーボの追従不良によるフォーカスエラーが増加して、情報の記録、又は、再生する情報記録再生品質が著しく低下するだけでなく、保持することも困難であると言う不具合が生じていた。
【特許文献１】特許第２９４２４３０号
【特許文献２】特開平６−６０４２３号公報
【発明の開示】
【発明が解決しようとする課題】
【０００４】
従来の光ディスク、及び、その光ディスクの製造方法、並びに、その光ディスクを具備する情報記録再生装置は、光ディスクの面振れが大きくてクラッシュする危険性があり、フレキシブル光ディスクでもフレキシブル基板に反りやうねりを有している場合があり、面振れと回転が不安定となり充分に安定化することが難しく、フォーカスサーボの追従不良によるフォーカスエラーが増加して、情報の記録、又は、再生する情報記録再生品質が著しく低下するだけでなく、保持することも困難であると言う問題が発生していた。
そこで本発明の課題は、このような問題点を解決するものである。即ち、光ディスクの回転と面振れの安定化が容易で、面振れが小さくてクラッシュする危険性が無く、フォーカスサーボの追従不良によるフォーカスエラーも低減して、大容量の情報を記録、再生する情報記録再生品質が著しく向上して保持も容易に確実に出来る光ディスク、及び、その光ディスクの製造方法、並びに、その光ディスクを具備する情報記録再生装置を提供することを目的とする。
【課題を解決するための手段】
【０００５】
上記目的を達成するために、請求項１に記載の本発明は、情報を記録又は再生する光ディスクにおいて、記録層の情報を記録、又は、再生する記録再生面部材と、上記記録再生面部材と対向する対向面部材と、上記記録再生面部材と上記対向面部材が対向して形成する中空部とからなり、上記記録再生面部材と上記対向面部材の少なくとも１つは可撓性を有する光ディスクであることを最も主要な特徴とする。
又は、請求項２に記載の本発明は、上記請求項１に記載の光ディスクにおいて、記録再生面部材と対向面部材が対向して形成する中空部は、密閉構造である光ディスクであることを主要な特徴とする。
又は、請求項３に記載の本発明は、上記請求項１又は２に記載の光ディスクにおいて、記録再生面部材と対向面部材は、中空部を形成して封止する封止手段からなる光ディスクであることを主要な特徴とする。
又は、請求項４に記載の本発明は、上記請求項３に記載の光ディスクにおいて、封止手段は、記録再生面部材と対向面部材の中心部を封止する中心スペーサーとからなる光ディスクであることを主要な特徴とする。
又は、請求項５に記載の本発明は、上記請求項４に記載の光ディスクにおいて、中心スペーサーは、保持する際の被保持部となる光ディスクであることを主要な特徴とする。
又は、請求項６に記載の本発明は、上記請求項４又は５に記載の光ディスクにおいて、中心スペーサーの内径は、プリグルーブに対して偏心を除去した状態で封止られている光ディスクであることを主要な特徴とする。
又は、請求項７に記載の本発明は、上記請求項３、４、５又は６に記載の光ディスクにおいて、封止手段は、記録再生面部材と対向面部材の外周部を封止する外周スペーサーとからなる光ディスクであることを主要な特徴とする。
【０００６】
又は、請求項８に記載の本発明は、上記請求項７に記載の光ディスクにおいて、外周スペーサーは、保持する際の被保持部となる光ディスクであることを主要な特徴とする。
又は、請求項９に記載の本発明は、上記請求項１、２、３、４、５、６、７又は８に記載の光ディスクにおいて、記録再生面部材と対向面部材を対向して中空部を形成して封止した厚みが、剛体の光ディスクの厚みと同等である光ディスクであることを主要な特徴とする。
又は、請求項１０に記載の本発明は、上記請求項９に記載の光ディスクにおいて、記録再生面部材と対向面部材を対向して中空部を形成して封止した厚みが１．２ｍｍである光ディスクであることを主要な特徴とする。
又は、請求項１１に記載の本発明は、上記請求項１、２、３、４、５、６、７、８、９又は１０に記載の光ディスクにおいて、記録再生面部材と対向面部材の中心部の内径側面は、密着補強されている光ディスクであることを主要な特徴とする。
又は、請求項１２に記載の本発明は、上記請求項１乃至１１の何れか一項に記載の光ディスクにおいて、記録再生面部材と対向面部材の外周部の外周側面は、密着補強されている光ディスクであることを主要な特徴とする。
【０００７】
又は、請求項１３に記載の本発明は、上記請求項１乃至１２の何れか一項に記載の光ディスクにおいて、記録再生面部材、又は、対向面部材の片面、又は、両面に微細パターンからなる記録層が形成されている光ディスクであることを主要な特徴とする。
又は、請求項１４に記載の本発明は、上記請求項１乃至１３の何れか一項に記載の光ディスクにおいて、記録再生面部材、又は、対向面部材の片側、又は、両側に微細パターンからなる記録層が形成されている光ディスクであることを主要な特徴とする。
又は、請求項１５に記載の本発明は、上記請求項１乃至１４の何れか一項に記載の光ディスクにおいて、記録再生面部材と対向面部材の厚みの和が、１．２ｍｍ以下である光ディスクであることを主要な特徴とする。
又は、請求項１６に記載の本発明は、情報を記録又は再生する光ディスクの製造方法において、情報を記憶する微細パターンからなる記録層の情報を記録、又は、再生する情報記録再生面からなる記録再生面部材や上記記録再生面部材と対向する対向面部材を予め形成する前工程と、上記前工程で形成された上記記録再生面部材と上記対向面部材が対向して中空部を形成するように、上記記録再生面部材と対向する上記対向面部材を封止する封止工程からなる光ディスクの製造方法であることを最も主要な特徴とする。
又は、請求項１７に記載の本発明は、上記請求項１６に記載の光ディスクの製造方法において、封止工程は、記録再生面部材と対向面部材の中心部と外周部を、封手止段の中心スペーサーと外周スペーサーを介して密着補強すると、共に、中空部を形成して、接着剤で上記記録再生面部材と上記対向面部材を封止する光ディスクの製造方法であることを主要な特徴とする。
【０００８】
又は、請求項１８に記載の本発明は、情報を記録又は再生する情報記録再生装置において、上記請求項１乃至１７に記載の光ディスクと、上記光ディスクを保持して回転駆動する回転駆動手段と、上記回転駆動手段で回転駆動される上記光ディスクの記録再生面部材、又は、対向面部材側に近接させて面振れを空気力学的に安定化させるガイド部材と、上記ガイド部材の対向側に配置されて上記光ディスクの情報を情報記録再生面から記録、又は、再生する光ピックアップとからなる情報記録再生装置であることを最も主要な特徴とする。
又は、請求項１９に記載の本発明は、上記請求項１８に記載の情報記録再生装置において、光ディスクは、光ディスク保持手段によって保持される情報記録再生装置であることを主要な特徴とする。
又は、請求項２０に記載の本発明は、上記請求項１９に記載の情報記録再生装置において、光ディスク保持手段は、光ディスクの中心部を保持する中心部保持手段からなる情報記録再生装置であることを主要な特徴とする。
又は、請求項２１に記載の本発明は、上記請求項１９又は２０に記載の情報記録再生装置において、光ディスク保持手段は、光ディスクの外周部を保持する外周部保持手段からなる情報記録再生装置であることを主要な特徴とする。
【発明の効果】
【０００９】
本発明は、以下に説明するように構成されているので、請求項１の発明によれば、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項２の発明によれば、中空部が一定容積の状態を保持して好都合な所定の可撓性を有して、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項３の発明によれば、中空部が一定容積の完全な密閉構造が可能となり好都合な所定の可撓性を有して、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項４の発明によれば、記録再生面部材と対向面部材の中心部を中心スペーサーで封止して、中空部が一定容積の完全な密閉構造が可能となり好都合な所定の可撓性を有して、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項５の発明によれば、記録再生面部材と対向面部材の中心部を中心スペーサーで封止して、中空部が一定容積の完全な密閉構造が可能となり好都合な所定の可撓性を有して、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上すると、共に、中心部を保持してハンドリングが可能で保持も容易に確実に出来る光ディスクを提供することが出来るようになった。
請求項６の発明によれば、記録再生面部材と対向面部材の中心部を中心スペーサーで封止して、中空部が一定容積の完全な密閉構造が可能となり好都合な所定の可撓性を有して、回転と面振れの安定化が容易で、面振れが小さくてクラッシュする危険性が無く、フォーカスサーボの追従不良によるフォーカスエラーも低減して、トラッキング外れの生じない安定した情報の記録、又は、再生する情報記録再生品質が著しく向上する光ディスクを提供することが出来るようになった。
【００１０】
請求項７の発明によれば、記録再生面部材と対向面部材の外周部を外周スペーサーで封止して、中空部が一定容積の完全な密閉構造が可能となり好都合な所定の可撓性を有して、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項８の発明によれば、記録再生面部材と対向面部材の外周部を外周スペーサーで封止して、中空部が一定容積の完全な密閉構造が可能となり好都合な所定の可撓性を有して、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する、共に、外周部を保持してハンドリングが可能で保持も容易に確実に出来る光ディスクを提供することが出来るようになった。
請求項９の発明によれば、通常のＣＤやＤＶＤのような剛体の光ディスクとも汎用性があり、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項１０の発明によれば、通常のＣＤやＤＶＤのような剛体の厚みが１．２ｍｍである光ディスクとも汎用性があり、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項１１の発明によれば、中心部の内径側面が完全な密閉構造が可能となって好都合な所定の可撓性を有して、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項１２の発明によれば、外周部の外周側面が完全な密閉構造が可能となって好都合な所定の可撓性を有して、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
【００１１】
請求項１３の発明によれば、回転と面振れの安定化が容易で、面振れが小さくてクラッシュする危険性が無く、フォーカスサーボの追従不良によるフォーカスエラーも低減して、倍容量の情報の記録、又は、再生する情報記録再生品質が著しく向上する光ディスクを提供することが出来るようになった。
請求項１４の発明によれば、回転と面振れの安定化が容易で、面振れが小さくてクラッシュする危険性が無く、フォーカスサーボの追従不良によるフォーカスエラーも低減して、更に、倍容量の情報の記録、又は、再生する情報記録再生品質が著しく向上する光ディスクを提供することが出来るようになった。
請求項１５の発明によれば、通常のＣＤやＤＶＤのような剛体の光ディスクカートリッジに搭載が可能となり、中心部や外周部を保持してハンドリングが可能であり、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを提供することが出来るようになった。
請求項１６の発明によれば、中空部が一定容積の密閉構造が可能となり好都合な所定の可撓性を有して、回転と面振れの安定化が容易で、面振れが小さくてクラッシュする危険性が無く、フォーカスサーボの追従不良によるフォーカスエラーも低減して、大容量の情報の記録、又は、再生する情報記録再生品質が著しく向上する光ディスクの製造方法を提供することが出来るようになった。
請求項１７の発明によれば、中空部が一定容積の完全な密閉構造が可能となり好都合な所定の可撓性を有して、回転と面振れの安定化が容易で、面振れが小さくてクラッシュする危険性が無く、フォーカスサーボの追従不良によるフォーカスエラーも低減して、大容量の情報の記録、又は、再生する情報記録再生品質が著しく向上して、保持も容易に確実に出来る光ディスクの製造方法を提供することが出来るようになった。
【００１２】
請求項１８の発明によれば、光ディスクの回転と面振れの安定化が容易で、面振れが小さくてクラッシュする危険性が無く、フォーカスサーボの追従不良によるフォーカスエラーも低減して、大容量の情報の記録、又は、再生する情報記録再生品質が著しく向上する情報記録再生装置を提供することが出来るようになった。
請求項１９の発明によれば、光ディスクの回転と面振れの安定化が容易で、面振れが小さくてクラッシュする危険性が無く、フォーカスサーボの追従不良によるフォーカスエラーも低減して、大容量の情報の記録、又は、再生する情報記録再生品質が著しく向上して、光ディスクの保持も容易に確実に出来る情報記録再生装置を提供することが出来るようになった。
請求項２０の発明によれば、光ディスクの回転と面振れの安定化が容易で、面振れが小さくてクラッシュする危険性が無く、フォーカスサーボの追従不良によるフォーカスエラーも低減して、大容量の情報の記録、又は、再生する情報記録再生品質が著しく向上して、光ディスクの中心部の保持も容易に確実に出来る情報記録再生装置を提供することが出来るようになった。
請求項２１の発明によれば、光ディスクの回転と面振れの安定化が容易で、面振れが小さくてクラッシュする危険性が無く、フォーカスサーボの追従不良によるフォーカスエラーも低減して、大容量の情報の記録、又は、再生する情報記録再生品質が著しく向上して、光ディスクの外周部の保持も容易に確実に出来る情報記録再生装置を提供することが出来るようになった。
【発明を実施するための最良の形態】
【００１３】
次に、本発明の実施の形態は、図面を参照して詳細に説明する。
図１は本発明の光ディスクの平面図、図２は記録再生状態を示す正面図であり、各図において、情報を記録又は再生する光ディスク０は、情報を記憶する微細パターンからなる保護層１ａで保護される記録層１と、記録層１の情報を記録、再生する情報記録再生面２と、情報記録再生面２からなる記録再生面部材３と、中空部５を挟んで記録再生面部材３と対向する対向面部材４と、記録再生面部材３と対向面部材４が対向して形成する中空部５とからなる。つまり、情報記録再生面２は記録再生部材３によって構成されており、記録再生部材３の片側（又は両側面）に微細パターンからなる記録層１とその保護層１ａが積層形成されている。
回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する。
光ディスク０は、記録再生面部材３と対向面部材４の可撓性を最大限に利用することで、記録再生面部材３と対向面部材４を対向して中空部５を形成して封止した厚み（Ｔ）が、通常のＣＤやＤＶＤのような剛体の光ディスクの厚み（Ｔｈ）と同等（Ｔ＝Ｔｈ）である１．２ｍｍで、剛体の光ディスクとも汎用性がある中空構造とし、後述する図９で図示するガイド部材５２の近接側の対向面部材４の面振れを安定化させることで、中空構造の中空部５の空気層、記録再生面部材３を介して、後述する図９で図示する光ピックアップ５３側の記録再生面部材３に対しても空気力を作用させることで、面振れを容易に安定化することが出来て、後述する図９で図示する光ピックアップで５３のフォーカスサーボのロックを容易とし、極めて、高品質な情報記録再生信号特性が得られた（図７乃至１０を参照）。
【００１４】
光ディスク０は、厚みが０．０７ｍｍ乃至０．１ｍｍの記録再生面部材３と厚みが０．０７ｍｍ乃至０．１ｍｍの対向面部材４を対向して密閉構造で封止した中空部５は、一定容積の状態を保持して、好都合な所定の可撓性を有している。
記録再生面部材３と対向面部材４は、ディスク中心部７を封止手段６の中心スペーサー６ａを介して中心部７の内径部７ａを密着補強して接着剤１０で封止してあり、外周部８を封止手段６の外周スペーサー６ｂを介して外周部８の外周側面８ａは密着補強して接着剤１０で封止してあるから、完全な密閉構造が可能となって好都合な所定の可撓性を有する光ディスク０を提供することが出来るようになった。
又、中心スペーサー６ａの内径６ａ1は、記録層１に形成されたプリグルーブ９に対して偏心を除去された状態で封止されているから、トラッキング外れの生じない安定した情報を記録、又は、再生する光ディスク０を提供することが出来るようになった。
記録再生面部材３、又は、対向面部材４の片面、又は、両面に微細パターンからなる記録層１と保護層１ａが形成されているから、情報の記録容量、又は、再生容量の倍容量化が可能な光ディスク０を提供することが出来るようになった。
更に、記録再生面部材３、又は、対向面部材４の片側、又は、両側に微細パターンからなる記録層１と保護層１ａが形成されているから、情報の記録容量、又は、再生容量の、更に、倍容量化が可能な光ディスク０を提供することが出来るようになった。
記録再生面部材３と対向面部材４の厚みの和（ｔ）が、通常のＣＤやＤＶＤのような剛体の光ディスクの厚み（Ｔｈ）である１．２ｍｍ以下（ｔ＜Ｔｈ＝１．２ｍｍ）であるから、即ち、中空部５を含めて１．２ｍｍの厚みの構造とすることで、通常のＣＤやＤＶＤのような剛体の光ディスクカートリッジに搭載が可能であり、中心部７や外周部８を保持してハンドリングが可能な光ディスク０を提供することが出来るようになった。
【００１５】
図３と図４において、封止手段６の中心スペーサー６ａは、光ディスク０を保持する際に、光ディスク保持手段５４の中心部保持手段５４ａ等の、例えば、吸着パッドで吸着される被保持部となり、中心部７を保持してハンドリングが可能で保持も容易に確実に出来る光ディスク０を提供することが出来るようになった。
図５において、封止手段６の外周スペーサー６ｂは、光ディスク０を保持する際に、光ディスク保持手段５４の外周部保持手段５４ｂ等の、例えば、挟持部材で挟持される被保持部となり、外周部８を保持してハンドリングが可能で保持も容易に確実に出来る光ディスク０を提供することが出来るようになった。
図６において、情報を記録又は再生する光ディスクの製造方法の工程１００は、情報を記憶する微細パターンからなる記録層１の情報を記録、又は、再生する情報記録再生面２からなる記録再生面部材３や、記録再生面部材３と対向する対向面部材４等を予め形成する前工程１０１と、前工程１０１で形成された記録再生面部材３と対向面部材４が対向して中空部５を形成するように、記録再生面部材３と対向する対向面部材４を封止する封止工程１０２からなり、回転と面振れの安定化が容易で、面振れが小さくてクラッシュする危険性が無く、フォーカスサーボの追従不良によるフォーカスエラーも低減して、情報の記録、又は、再生する情報記録再生品質が著しく向上する光ディスクを製造することが出来る。
封止工程１０２では、記録再生面部材３と対向面部材４の中心部７と外周部８を、封手止段６の中心スペーサー６ａと外周スペーサー６ｂを介して密着補強すると共に、接着剤１０で記録再生面部材３と対向面部材４を中空部５を形成して封止するから、中空部５が一定容積の完全な密閉構造が可能となり好都合な所定の可撓性を有する光ディスク０を製造することが出来るようになった。
【００１６】
実施例１では、前工程１０１において、厚み０．１ｍｍのＰＣフィルムの対向面部材４ａの片面に対して、熱インプリント法により、図示しないスタンパのプリフォーマットパターンを転写して、その転写面に微細パターンからなる記録層１と保護層１ａを形成し、片側の転写面に微細パターンからなる記録層１と保護層１ａを有する対向面部材４ａが完成する。
次に、同じく厚み０．１ｍｍのＰＣフィルムの記録再生面部材３、封止手段６の中心スペーサー６ａや外周スペーサー６ｂ等を用意する。
封止工程１０２では、封止手段６の中心スペーサー６ａや外周スペーサー６ｂを介して、対向面部材４ａと記録再生面部材３を封止して光ディスク０、０ａが完成する。
但し、封止手段６の中心スペーサー６ａと外周スペーサー６ｂの厚みは０．９５ｍｍ、上下封止用の接着剤１０の厚みは、それぞれ２５μｍで、光ディスク０の光ディスク０ａの総厚み（Ｔ）は、（Ｔ）＝１．２ｍｍとなる。
このようにして製造された光ディスク０ａを、図９に図示する情報記録再生装５０に搭載することにより、ガイド部材５２を対向面部材４ａ側に近接させて回転と面振れを空気力学的に容易に安定化することが出来て、記録再生面部材３側に配する光ピックアップ５３により、面振れが小さくてクラッシュする危険性が無く、サーボロックが容易で、フォーカスサーボの追従不良によるフォーカスエラーも低減して、情報の記録、又は、再生する情報記録再生品質が著しく向上した特性が得られ、光ディスク０の光ディスク０ａの保持も容易に確実に出来た。
【００１７】
実施例２は、前工程１０１において、２枚の厚み０．０７ｍｍのＰＣフィルムの記録再生面部材３ａと対向面部材４ａの各片面に対して、光インプリント法により、図示しないスタンパのプリフォーマットパターンをそれぞれ転写する。
光インプリントで用いる光硬化性樹脂の厚みは、それぞれ３０μｍである。
その転写面に微細パターンからなる記録層１と保護層１ａを形成し、片側の転写面に微細パターンからなる記録層１と保護層１ａを有する記録再生面部材３ａと対向面部材４ａが完成する。
次に、中心スペーサー６ａや外周スペーサー６ｂ等を用意する。
封止工程１０２では、２枚の記録再生面部材３ａと対向面部材４ａを、中心スペーサー６ａや外周スペーサー６ｂを介して、対向面部材４ａと記録再生面部材３ａを封止して光ディスク０の光ディスク０ｂが完成する。
但し、中心スペーサー６ａと外周スペーサー６ｂの厚みは０．９６ｍｍ、上下封止用の接着剤１０の厚みは、それぞれ２０μｍで、光ディスク０の光ディスク０ｂの総厚み（Ｔ）は、（Ｔ）＝１．２ｍｍとなる。
光ディスク０ｂを、図９に図示する情報記録再生装５０に搭載したら、ガイド部材５２を対向面部材４ａ側に近接させて回転と面振れを空気力学的に容易に安定化することが出来て、記録再生面部材３側に配する光ピックアップ５３により、面振れが小さくてクラッシュする危険性が無く、サーボロックが容易で、フォーカスサーボの追従不良によるフォーカスエラーも低減して、情報の記録、又は、再生する情報記録再生品質が著しく向上した特性が得られ、光ディスク０の光ディスク０ｂの保持も容易に確実に出来た。
同様に、光ディスク０ｂを、図１０に図示する情報記録再生装５０に対向面部材４ａと記録再生面部材３ａの表裏を反転させて搭載させることで、対向面部材４ａと記録再生面部材３ａを空気力学的に容易に安定化することが出来て、光ピックアップ５３により、面振れが小さくてクラッシュする危険性が無く、サーボロックが容易で、フォーカスサーボの追従不良によるフォーカスエラーも低減して、情報の記録、又は、再生する情報記録再生品質が著しく向上した倍容量の特性が得られ、光ディスク０ｂの保持も容易に確実に出来た。
【００１８】
実施例３は、前工程１０１において、厚み０．１ｍｍのＰＣフィルムの記録再生面部材３ｂ、又は、対向面部材４ｂに対して、２枚の図示しないスタンパを用意し、熱インプリント法により、ＰＣフィルムの両面にスタンパのプリフォーマットパターンを転写する。
次に、同じく厚み０．１ｍｍのＰＣフィルムの記録再生面部材３ｂ、又は、対向面部材４ｂ、封止手段６の中心スペーサー６ａや外周スペーサー６ｂ等を用意する。
封止工程１０２では、２枚の記録再生面部材３ｂと対向面部材４ｂを、中心スペーサー６ａや外周スペーサー６ｂを介して、対向面部材４ｂと記録再生面部材３ｂを封止して光ディスク０ｃが完成する。
但し、中心スペーサー６ａと外周スペーサー６ｂの厚みは０．９７ｍｍ、上下封止用の接着剤１０の厚みは、それぞれ１５μｍで、光ディスク０の光ディスク０ｃの総厚み（Ｔ）は、（Ｔ）＝１．２ｍｍとなる。
光ディスク０ｃを、図９に図示する情報記録再生装５０に搭載したら、ガイド部材５２を対向面部材４ａ側に近接させて回転と面振れを空気力学的に容易に安定化することが出来て、記録再生面部材３側に配する光ピックアップ５３により、面振れが小さくてクラッシュする危険性が無く、サーボロックが容易で、フォーカスサーボの追従不良によるフォーカスエラーも低減して、情報の記録、又は、再生する情報記録再生品質が著しく向上した特性が得られ、又、サーボロックの状態で、光ピックアップ５３をフォーカジャンプさせることで、内側の記録再生面部材３の転写面の微細パターンからなる記録層１にもフォーカスすることが出来るので、結果的に情報の記録、又は、再生する情報記録再生品質が著しく向上した倍容量の特性が得られ、光ディスク０の光ディスク０ｃの保持も容易に確実に出来た。
同様に、光ディスク０の光ディスク０ｃを、図１０に図示する情報記録再生装５０に対向面部材４ａと記録再生面部材３ａの表裏を反転させて搭載させることで、対向面部材４ａと記録再生面部材３ａを空気力学的に容易に安定化することが出来て、光ピックアップ５３により、面振れが小さくてクラッシュする危険性が無く、サーボロックが容易で、フォーカスサーボの追従不良によるフォーカスエラーも低減して、情報の記録、又は、再生する情報記録再生品質が著しく向上した、更に、倍容量の特性が得られ、光ディスク０の光ディスク０ｃの保持も容易に確実に出来た。
従って、中空部が一定容積の完全な密閉構造が可能となり好都合な所定の可撓性を有して、有回転と面振れの安定化が容易で、面振れが小さくてクラッシュする危険性が無く、フォーカスサーボの追従不良によるフォーカスエラーも低減して、大容量の情報の記録、又は、再生する情報記録再生品質が著しく向上して保持も容易に確実に出来る光ディスク０の製造方法を提供することが出来るようになった。
【００１９】
図７乃至図１０において、情報を記録又は再生する情報記録再生装置５０は、請求項１乃至１７に記載の光ディスク０と、光ディスク０を保持して回転駆動する回転駆動手段５１と、回転駆動手段５１で回転駆動される光ディスク０の記録再生面部材３、又は、対向面部材４側に近接させて面振れを空気力学的に安定化させるガイド部材５２と、ガイド部材５２の対向側に配置されて光ディスク０の情報を情報記録再生面２から記録、又は、再生する光ピックアップ５３とからなり、光ディスク０の中心部７の封止手段６である中心スペーサー６ａの内径６ａ1に回転駆動手段５１のスピンドル５１ａを嵌合した静止時の状態（図７を参照）であるが、図８に図示するように、回転駆動手段５１のスピンドル５１ａによって回転駆動される光ディスク０の面振れは、数百μｍになるが、図９と図１０に図示の矢印（Ａ）方向にガイド部材５２を記録再生面部材３、又は、対向面部材４側に近接させることによって、光ディスク０回転と面振れを空気力学的に容易に安定化させることが出来て、面振れが小さくてクラッシュする危険性が無く、フォーカスサーボの追従不良によるフォーカスエラーも低減して、大容量の情報の記録、又は、再生する情報記録再生品質が著しく向上した。
光ディスク保持手段５４の中心部保持手段５４ａ、例えば、吸着パッドによって、光ディスク０の中心部７の封止手段６の中心スペーサー６ａを保持しているので、ハンドリングが可能で保持も容易に確実に出来るようになっている。
更に、光ディスク保持手段５４としての外周部保持手段５４ｂの、例えば、挟持部材によって、光ディスク０の外周部８の封止手段６の外周スペーサー６ｂを保持することにより、ハンドリングが可能で保持も容易に確実に出来るようになっている。
従って、光ディスク０の回転と面振れの安定化が容易で、面振れが小さくてクラッシュする危険性が無く、フォーカスサーボの追従不良によるフォーカスエラーも低減して、大容量の情報の記録、又は、再生する情報記録再生品質が著しく向上して保持も容易に確実に出来る情報記録再生装置５０を提供することが出来るようになった。
【図面の簡単な説明】
【００２０】
【図１】本発明の実施の形態例を示す光ディスクを説明する説明図である。
【図２】図１の（Ｘ−Ｘ）線の断面図である。
【図３】本発明の実施の形態例を示す光ディスクの主要部の状態を説明する説明図である。
【図４】本発明の実施の形態例を示す光ディスクの他の主要部を説明する拡大図である。
【図５】本発明の実施の形態例を示す光ディスクの他の主要部の状態を説明する説明図である。
【図６】本発明の実施の形態例を示す光ディスクの製造方法を説明する説明図である。
【図７】本発明の実施の形態例を示す光ディスクを具備する情報記録再生装置を説明する説明図である。
【図８】本発明の実施の形態例を示す光ディスクを具備する情報記録再生装置の主要部の状態を説明する説明図である。
【図９】本発明の実施の形態例を示す光ディスクを具備する情報記録再生装置の主要部の他の状態を説明する説明図である。
【図１０】本発明の実施の形態例を示す光ディスクを具備する情報記録再生装置の主要部の他の状態を説明する説明図である。
【図１１】従来のフレキシブル光ディスクを具備する情報記録再生装置を説明する説明図である。
【符号の説明】
【００２１】
０  光ディスク、
０ａ  光ディスク、
０ｂ  光ディスク、
０ｃ  光ディスク
１  記録層、
１ａ  保護層
２  情報記録再生面
３  記録再生面部材、
３ａ  記録再生面部材、
３ｂ  記録再生面部材
４  対向面部材、
４ａ  対向面部材、
４ｂ  対向面部材
５  中空部
６  封止手段、
６ａ  中心スペーサー、
６ａ1  内径、
６ｂ  外周スペーサー
７  中心部、
７ａ  内径側面
８  外周部、
８ａ  外周側面
９  プリグルーブ
１０  接着剤
５０  情報記録再生装置
５１  回転駆動手段、
５１ａ  スピンドル
５２  ガイド部材
５３  光ピックアップ
５４  光ディスク保持手段、
５４ａ  中心部保持手段、
５４ｂ  外周部保持手段
１００  光ディスクの製造工程
１０１  前工程
１０２  封止工程
２００  フレキシブル光ディスク、
２００ａ  フレキシブル基板
２０１  記録層、
２０１ａ  保護層
２０２  情報記録再生面
２５０  情報記録再生装置
２５１  回転駆動手段、
２５１ａ  スピンドル
２５２  ガイド部材
２５３  光ピックアップ、
２５３ａ  対物レンズ
【図１】
2006065991.tif 000003
【図２】
2006065991.tif 000004
【図３】
2006065991.tif 000005
【図４】
2006065991.tif 000006
【図５】
2006065991.tif 000007
【図６】
2006065991.tif 000008
【図７】
2006065991.tif 000009
【図８】
2006065991.tif 000010
【図９】
2006065991.tif 000011
【図１０】
2006065991.tif 000012
【図１１】
2006065991.tif 000013